(57)【要約】【課題】  ホルダーからインク容器を抜脱するときの操作性を向上させる。【解決手段】  係止部Ｔ２３０をインク容器に設け、係合部材Ｈ１１０をインクジェット記録ヘッドに設け、インク容器に備えた解除部材Ｔ３００によって、係合部材Ｈ１１０を係止部Ｔ２３０との係合を解除する方向に弾性変形させる。【選択図】  図５
2005343050.tif 000002
【特許請求の範囲】
【請求項１】
インク導入部を有するホルダーに対して着脱自在とされ、前記ホルダーに装着されたときに、内部に収容するインクをインク導出部から前記インク導入部に導出可能なインク容器において、
前記ホルダーに、前記インク容器が前記ホルダーに装着されたときに互いに係合する係止部と弾性変形可能な係合部材の内の一方を設け、
前記インク容器に、
前記係止部と前記係合部材の内の他方と、
当該インク容器が前記ホルダーに装着されているときに移動操作されることにより、前記係合部材を前記係止部との係合を解除する方向に弾性変形させる解除部材と、
を備えることを特徴とするインク容器。
【請求項２】
前記インク容器は、前記インク導入部と前記インク導出部との対向方向に沿って前記ホルダーに挿入され、前記対向方向に沿って前記ホルダーから抜脱されることを特徴とする請求項１に記載のインク容器。
【請求項３】
前記係止部と前記係合部材の内の一方は、互いに対向する前記ホルダーの位置に対に設けられ、
前記係止部と前記係合部材の内の他方は、前記インク容器の互いに対向する対の側面に対に設けられ、
前記解除部材は、前記インク容器が前記ホルダーに装着されているときに移動操作されることにより、前記対の係合部材を前記対の係止部との係合を解除する方向に弾性変形させる
ことを特徴とする請求項１または２に記載のインク容器。
【請求項４】
前記対の側面は、前記インク容器の短手方向において対向する側面であることを特徴とする請求項３に記載のインク容器。
【請求項５】
前記係止部と前記係合部材の内の他方は、前記対の側面において、前記インク容器の長手方向にずれて位置することを特徴とする請求項４に記載のインク容器。
【請求項６】
前記解除部材は、基端側に位置して前記インク容器に回動自在に結合される結合部と、先端側に位置して押圧操作可能な押圧部と、前記結合部と前記押圧部との間に位置して前記係合部材を前記係止部との係合を解除する方向に弾性変形可能な解除作用部と、を含むことを特徴とする請求項１から５のいずれかに記載のインク容器。
【請求項７】
前記解除部材の前記押圧部は、前記インク容器が前記ホルダーに装着されているときに前記インク容器の周面から外方に離れて位置し、かつ押圧操作されたときに前記インク容器の周面に接近することを特徴とする請求項６に記載のインク容器。
【請求項８】
前記解除部材は、前記インク容器に着脱可能であることを特徴とする請求項１から７のいずれかに記載のインク容器。
【請求項９】
インク導出部を有するインク容器の着脱が可能であり、前記インク容器が装着されたときに、前記インク容器の内部に収容されているインクを前記インク導出部からインク導入部に導入可能なホルダーにおいて、
前記インク容器に、前記インク容器が前記ホルダーに装着されたときに互いに係合する係止部と弾性変形可能な係合部材の内の一方を設け、
前記ホルダーに、前記係止部と前記係合部材の内の他方を設け、
前記係止部と前記係合部材は、前記インク容器に備えられている解除部材が移動操作されることにより、前記係合部材が弾性変形されて前記係止部との係合を解除する
ことを特徴とするホルダー。
【請求項１０】
前記係止部と前記係合部材の内の一方は、前記インク容器の互いに対向する対の側面に対に設けられ、
前記係止部と前記係合部材の内の他方は、互いに対向する前記ホルダーの位置に対に設けられ、
前記対の係止部と前記対の係合部材は、前記インク容器に備えられている解除部材が移動操作されることにより、前記対の係合部材が弾性変形されて前記対の係止部との係合を解除する
ことを特徴とする請求項９に記載のホルダー。
【請求項１１】
前記インク容器における対の側面は、当該インク容器の短手方向において対向する側面であることを特徴とする請求項１０に記載のホルダー。
【請求項１２】
インク導入部を有するホルダーに対して着脱自在のインク容器に備えられて、前記インク容器に対して移動操作可能な解除部材であって、
前記インク容器は、前記ホルダーに装着されたときに、内部に収容するインクをインク導出部から前記インク導入部に導出可能であり、かつ、前記ホルダーに装着されたときに互いに係合する係止部と弾性変形可能な係合部材の内の一方が設けられ、
前記ホルダーには、前記係止部と前記係合部材の内の他方が設けられ、
前記解除部材は、前記インク容器が前記ホルダーに装着されているときに移動操作されることにより、前記係合部材を前記係止部との係合を解除する方向に弾性変形させる
ことを特徴とする解除部材。
【請求項１３】
基端側に位置して前記インク容器に回動自在に結合される結合部と、先端側に位置して押圧操作可能な押圧部と、前記結合部と前記押圧部との間に位置して前記係合部材を前記係止部との係合を解除する方向に弾性変形可能な解除作用部と、を含むことを特徴とする請求項１２に記載の解除部材。
【請求項１４】
インク導出部を有するインク容器の着脱が可能であり、前記インク容器が装着されたときに、前記インク容器の内部に収容されているインクを前記インク導出部から導入してインク吐出口から吐出可能なインクジェット記録ヘッドにおいて、
前記インク容器に、前記インク容器が前記ホルダーに装着されたときに互いに係合する係止部と弾性変形可能な係合部材の内の一方を設け、
前記インクジェット記録ヘッドに、前記係止部と前記係合部材の内の他方を設け、
前記係止部と前記係合部材は、前記インク容器に備えられている解除部材が移動操作されることにより、前記係合部材が弾性変形されて前記係止部との係合を解除する
ことを特徴とするインクジェット記録ヘッド。
【請求項１５】
インク導入部を有するホルダーに対して着脱自在とされ、前記ホルダーに装着されたときに、内部に収容するインクをインク導出部から前記インク導入部に導出可能なインク容器において、
前記ホルダーに、前記インク容器が前記ホルダーに装着されたときに互いに係合する係止部と弾性変形可能な係合部材の内の一方を設け、
前記インク容器に、
前記係止部と前記係合部材の内の他方と、
当該インク容器が前記ホルダーに装着されているときに移動操作されることにより、前記係合部材を前記係止部との係合を解除する方向に弾性変形させる解除部材の取付け部と、
を設けることを特徴とするインク容器。
【発明の詳細な説明】
【技術分野】
【０００１】
本発明は、ホルダーに対して着脱自在のインク容器、インク容器の着脱が可能なホルダー、ホルダーに対して着脱自在のインク容器に備えられる解除部材、インク容器の着脱が可能なインクジェット記録ヘッドに関するものである。
【０００２】
インク容器は、例えば、インクジェット記録装置に用いられるインクタンクとして適用することができ、ホルダーは、例えば、インクジェット記録装置に用いられるインクジェット記録ヘッドを構成することができる。解除部材は、例えば、インクジェット記録装置に用いられるインクタンクに備えることができる。
【背景技術】
【０００３】
従来のインク容器として、例えば、インクジェット記録ヘッドに対して装着および脱抜可能（着脱可能）なインクタンクには、例えば特許文献１に記載のものが知られている。
【０００４】
図１２は、そのような従来のインク容器（インク容器）Ｔ８００の説明図である。そのインク容器Ｔ８００が装着されるインクジェット記録ヘッドＨ８００は、シリアルスキャンタイプのインクジェット記録装置におけるキャリッジＭ８１０に搭載される。記録ヘッドＨ８００は、インク容器Ｔ８００が着脱自在のホルダー部と、そのインク容器Ｔ８００から供給されるインクを吐出可能なインクジェット記録ヘッド部と、を一体的に備えている。
【０００５】
インク容器Ｔ８００には、インクを収納するインク収納部Ｔ８１０が箱状に形成されており、そのインク収容部Ｔ８１０の長手方向において対向する端部の対向面には、弾性部材である第１の係合部材Ｔ８２０および第２の係合部材Ｔ８３０が一体的に設けられている。第１、第２の係合部材Ｔ８２０、Ｔ８３０のそれぞれには、記録ヘッドＨ８００の第１、第２の被係合部Ｔ８１０、Ｔ８２０に係合可能な第１、第２の係合部Ｔ８２１、Ｔ８３１が形成されている。また、インク収容部Ｔ８１０の底面には、記録ヘッドＨ８００のインク導入口（不図示）に連通して、インクを供給するためのインク導出部Ｔ８４０が設けられている。
【０００６】
このインク容器Ｔ８００を記録ヘッドＨ８００に装着する際には、図１２のように、インク容器Ｔ８００の第１、第２の係合部材Ｔ８２０、８３０と、記録ヘッドＨ８００の第１、第２の被係合部Ｔ８１０、Ｔ８２０と、を対向させるように、インク容器Ｔ８００の向きを定める。さらに、インク容器Ｔ８００を、それが記録ヘッドＨ８００に装着されたときと同様の水平姿勢に保持してから、そのインク容器Ｔ８００を下降させる。そして、記録ヘッドＨ８００の底部に形成されて上方に開口するインク導入口（不図示）に対して、インク容器Ｔ８００のインク導出部Ｔ８４０を連結させ、このときに、第１、第２の係合部材Ｔ８２０、Ｔ８３０に設けられた第１、第２の係合部Ｔ８２１、Ｔ８３１は、対応する記録ヘッドＨ８００の第１、第２の係止部Ｈ８１０、係止部Ｈ８２０のそれぞれに係合する。このようにして、インク容器Ｔ８００を記録ヘッドＨ８００に装着して係止することができる。
【０００７】
また、インク容器Ｔ８００を脱抜する際には、記録ヘッドＨ８００に装着されているインク容器Ｔ８００の第１、第２の係合部材Ｔ８２０、Ｔ８３０を互いに対向する内側に向かって弾性変形させる。すなわち、第１、第２の係合部材Ｔ８２０、Ｔ８３０において、第１、第２の係合部Ｔ８２１、Ｔ８３１よりも上側の部分を互いに対向する内側に向かって押し、それらの第１、第２の係合部材Ｔ８２０、Ｔ８３０を弾性変形させる。これにより、第１、第２の係合部Ｔ８２１、Ｔ８３１と記録ヘッドＨ８００の第１、第２の係止部Ｈ８１０、Ｈ８２０との係合が解除される。そして、その姿勢のままのインク容器Ｔ８００を上方に移動させることにより、それを記録ヘッドＨ８００から脱抜させることができる。
【０００８】
また特許文献２には、インク容器の一側面に係合部材を弾性的に設け、そのインク容器を一方向の回転を伴いながらインクジェット記録ヘッドに装着したときに、インク容器の係合部材が記録ヘッド側の係合部に係合する構成が記載されている。そのインク容器を記録ヘッドから抜脱する際には、インク容器側の係合部材を押して弾性変形させて、その係合部材と記録ヘッド側の係合部との係合を解除してから、インク容器を逆方向に回転させる。
【０００９】
【特許文献１】特開平０９−０１１５００号公報
【特許文献２】特許第２８０１１４９号公報
【発明の開示】
【発明が解決しようとする課題】
【００１０】
しかしながら特許文献１に記載のインク容器Ｔ８００は、それを装着するときに、その長手方向において対向する１対の係合部Ｔ８２１、Ｔ８３１を対応する係止部Ｈ８１０、Ｈ８２０に同時に係合させるために、インク容器Ｔ８００の装着時の姿勢が厳しく制限されることになる。その制限された姿勢から外れた姿勢のままインク容器Ｔ８００を装着しようとした場合には、１対の係合部Ｔ８２１、Ｔ８３１の一方のみしか係合せずに、インク導出部Ｔ８４０の連通不良によるインク漏れやインクの供給不良が生じるおそれがある。特に、係合部Ｔ８２１、Ｔ８３１がインク容器Ｔ８００の長手方向において大きく離れて位置するため、それらの位置関係は、インク容器Ｔ８００の装着時の姿勢が若干傾いた場合に大きくずれることになり、それらを対応する係止部Ｈ８１０、Ｈ８２０に同時に係合させることはより難しくなる。
【００１１】
また、インク容器Ｔ８００の脱抜の際には、２つの係合部材Ｔ８２０、Ｔ８３０を直接かつ同時に操作する必要があり、そのような操作は面倒でありユーザビリティーの観点から好ましくない。
【００１２】
また、特許文献２に記載のインク容器も、その抜脱に際して、インク容器側の係合部材を直接押して弾性変形させなければならない。しかもインク容器の着脱に際して、それを回転させなければならなかった。
【００１３】
本発明の目的は、インク容器をホルダーから操作性よく抜脱することができるインク容器、ホルダー、解除部材、およびインクジェット記録ヘッドを提供することにある。
【課題を解決するための手段】
【００１４】
本発明のインク容器は、インク導入部を有するホルダーに対して着脱自在とされ、前記ホルダーに装着されたときに、内部に収容するインクをインク導出部から前記インク導入部に導出可能なインク容器において、前記ホルダーに、前記インク容器が前記ホルダーに装着されたときに互いに係合する係止部と弾性変形可能な係合部材の内の一方を設け、前記インク容器に、前記係止部と前記係合部材の内の他方と、当該インク容器が前記ホルダーに装着されているときに移動操作されることにより、前記係合部材を前記係止部との係合を解除する方向に弾性変形させる解除部材と、を備えることを特徴とする。
【００１５】
本発明のインク容器は、インク導入部を有するホルダーに対して着脱自在とされ、前記ホルダーに装着されたときに、内部に収容するインクをインク導出部から前記インク導入部に導出可能なインク容器において、前記ホルダーに、前記インク容器が前記ホルダーに装着されたときに互いに係合する係止部と弾性変形可能な係合部材の内の一方を設け、前記インク容器に、前記係止部と前記係合部材の内の他方と、当該インク容器が前記ホルダーに装着されているときに移動操作されることにより、前記係合部材を前記係止部との係合を解除する方向に弾性変形させる解除部材の取付け部と、を設けることを特徴とする。
【００１６】
本発明のホルダーは、インク導出部を有するインク容器の着脱が可能であり、前記インク容器が装着されたときに、前記インク容器の内部に収容されているインクを前記インク導出部からインク導入部に導入可能なホルダーにおいて、前記インク容器に、前記インク容器が前記ホルダーに装着されたときに互いに係合する係止部と弾性変形可能な係合部材の内の一方を設け、前記ホルダーに、前記係止部と前記係合部材の内の他方を設け、前記係止部と前記係合部材は、前記インク容器に備えられている解除部材が移動操作されることにより、前記係合部材が弾性変形されて前記係止部との係合を解除することを特徴とする。
【００１７】
本発明の解除部材は、インク導入部を有するホルダーに対して着脱自在のインク容器に備えられて、移動操作可能な解除部材であって、前記インク容器は、前記ホルダーに装着されたときに、内部に収容するインクをインク導出部から前記インク導入部に導出可能であり、かつ、前記ホルダーに装着されたときに互いに係合する係止部と弾性変形可能な係合部材の内の一方が設けられ、前記ホルダーには、前記係止部と前記係合部材の内の他方が設けられ、前記解除部材は、前記インク容器が前記ホルダーに装着されているときに移動操作されることにより、前記係合部材を前記係止部との係合を解除する方向に弾性変形させることを特徴とする。
【００１８】
本発明のインクジェット記録ヘッドは、インク導出部を有するインク容器の着脱が可能であり、前記インク容器が装着されたときに、前記インク容器の内部に収容されているインクを前記インク導出部から導入してインク吐出口から吐出可能なインクジェット記録ヘッドにおいて、前記インク容器に、前記インク容器が前記ホルダーに装着されたときに互いに係合する係止部と弾性変形可能な係合部材の内の一方を設け、前記インクジェット記録ヘッドに、前記係止部と前記係合部材の内の他方を設け、前記係止部と前記係合部材は、前記インク容器に備えられている解除部材が移動操作されることにより、前記係合部材が弾性変形されて前記係止部との係合を解除することを特徴とする。
【発明の効果】
【００１９】
本発明によれば、係止部と弾性変形可能な係合部材の一方をインク容器に設けると共に、それらの他方をホルダーに設け、インク容器に備えた解除部材によって、係合部材を係止部との係合を解除する方向に弾性変形させるため、インク容器をホルダーから抜脱する際に、解除部材を介して係合部材を容易に弾性変形させることができる。したがって、インク容器をホルダーから操作性よく抜脱することができる。
【発明を実施するための最良の形態】
【００２０】
以下、本発明の実施形態を図面に基づいて説明する。
以下の実施形態におけるインク容器は、インクジェット記録装置に用いられるインク容器（インクタンク）としての適用である。以下の実施形態におけるインクジェット記録ヘッドは、インク容器の着脱が可能なホルダー部と、そのインク容器から供給されるインクを吐出可能なインクジェット記録ヘッド部と、を含むものであり。そのホルダー部は、単体として、インク容器の着脱が可能なホルダーを構成するものであってもよく、また他の機能部（インク容器から供給されるインクを導く流路部、またはそのインクを使用する使用部）と組み合わせられるものであってもよい。
【００２１】
（第１の実施形態）
図１は、本発明の第１の実施形態におけるインク容器（インクタンク）Ｔ１００の斜視図、図２は、そのインク容器Ｔ１００の分解斜視図である。
【００２２】
インク容器Ｔ１００は、インクを収納するインク収納部Ｔ２００と、インクジェット記録ヘッド（不図示）と連通してインクを導出するインク導出部Ｔ４００と、インクジェット記録ヘッドとの係合を解除する解除部材Ｔ３００と、を備えた構成となっている。図２においては、これらの分解斜視図を示す。
【００２３】
インク収納部Ｔ２００は箱状に形成されており、その長手方向において対向する側面には、それぞれ第１のガイドリブＴ２２０と第２のガイドリブＴ２２１が設けられている。これらのリブＴ２２０，Ｔ２２１は、インク容器Ｔ１００をインクジェット記録ヘッドに装着するときのガイドとして機能する。インク収納部Ｔ２００の上面には、インク容器Ｔ１００をインクジェット記録ヘッドに装着する際に、そのインク容器Ｔ１００を押し込むために押圧される第１の押圧部Ｔ２５０が形成されている。この押圧部Ｔ２５０は、インク容器Ｔ１００の装着時にかかる抵抗力のバランスがとれる位置、例えば長手方向におけるガイドリブＴ２２０、Ｔ２２１と、それらが案内されるインクジェット記録ヘッド側のガイド溝との間の摺動抵抗などのバランスが取れる位置に設定されている。つまり押圧部Ｔ２５０は、インク容器Ｔ１００の装着時に押圧されてもインク容器Ｔ１００の傾きが生じないような位置に設定されている。
【００２４】
インク収納部Ｔ２００の短手方向において対向する面のそれぞれには、解除部材被結合部Ｔ２６０が円形のザグリ穴状に形成されている。その解除部材被結合部Ｔ２６０に対して、解除部材Ｔ３００に形成された円柱状の解除部材結合部Ｔ３３０が嵌合し、この嵌合部分を中心Ｏとして、解除部材Ｔ３００が矢印Ｂ１，Ｂ２方向に回動可能となっている。解除部材Ｔ３００は門形に形成されており、インク収納部Ｔ２００を跨ぐように取り付けられる。これにより解除部位Ｔ３２０は、インク容器側面Ｔ２１０に沿ってスライドするように回動する。また、解除部材被結合部Ｔ２６０が形成されるインク収納部Ｔ２００には、インクジェット記録ヘッドの係合部と係合する凹形状のインク容器係止部Ｔ２３０が形成されている。このインク容器係止部Ｔ２３０にインクジェット記録ヘッドの係合部（後述する弾性係合部材Ｈ１１０）が係合することにより、インク容器Ｔ１００がインクジェット記録ヘッドに固定される。
【００２５】
インク容器Ｔ１００は、インクジェット記録ヘッドに装着されていない通常時は、図４のように、解除部材Ｔ３００が解除部材結合部Ｔ３３０を中心として矢印Ｂ１方向に回動して、解除部材Ｔ３００の第２の押圧部Ｔ３１０は、インク収納部Ｔ２００の上面、または上面に形成されている凹みの位置まで下がっている。インク容器Ｔ１００をインクジェット記録ヘッドに装着するときには、溝状の第３ガイドＴ２４０に沿ってインクジェット記録ヘッドの係合部材が相対的に上昇し、その係合部材がインク容器係止部Ｔ２３０に係合する。そのため、解除部材Ｔ３００の解除部位Ｔ３２０がインクジェット記録ヘッドの係合部材によって押し上げられ、解除部材Ｔ３００は、図３のように矢印Ｂ２方向に回動して上昇する状態になる。
【００２６】
したがって、解除部材Ｔ３００は、インク容器Ｔ１００がインクジェット記録ヘッドに装着されているときは図３のような状態となる。インク容器Ｔ１００をインクジェット記録ヘッドから脱抜する際には、解除部材Ｔ３００の第２の押圧部Ｔ３１０を矢印Ａ１方向に押圧する。これにより、解除部材Ｔ３００が解除部材結合部Ｔ３３０を中心に矢印Ｂ２方向に回動し、下部に斜面Ｔ３２１が形成されている解除部位Ｔ３２０は、後述するように、インクジェット記録ヘッドの係合部材とインク容器係止部Ｔ２３０との係合を解除する。
【００２７】
図５（ａ），（ｂ）は、このような解除部位Ｔ３２０の動作を説明するための図である。
【００２８】
図５（ａ）は、インクジェット記録ヘッドにインク容器が装着されている状態である。インクジェット記録ヘッドに弾性的に形成された対の弾性係合部材Ｈ１１０には、突起状の対の係合部Ｈ１１２が形成されており、図５（ａ）のようなインク容器の装着時には、それらの係合部Ｈ１１２がインク収納部Ｔ２００のインク容器係止部Ｔ２３０に弾性的に係合している。
【００２９】
この図５（ａ）の状態において、解除部材Ｔ３００の第２の押圧部Ｔ３１０を矢印Ａ１の方向に押圧することにより図５（ｂ）の状態になる。すなわち、解除部材Ｔ３００が矢印Ｂ１方向に回動して下降し、門形状の解除部材Ｔ３００の両足部に相当する部分がインク収納部Ｔ２００のインク容器側面Ｔ２１０面に沿ってスライドするように下降する。それに伴い、門形状の解除部材Ｔ３００の両足先端部に相当する解除部位Ｔ３２０が下降し、その解除部位Ｔ３２０の下部に形成されている第１の斜面Ｔ３２１は、弾性係合部材Ｈ１１０の上部に形成された第２の斜面Ｈ１１１と接触しながら下降する。これにより図５（ｂ）のように、弾性係合部材Ｈ１１０が弾性変形して外側の矢印Ａ２方向に押し出され、その弾性係合部材Ｈ１１０の係合部Ｈ１１２とインク容器係止部Ｔ２３０との係合が解除されて、インク容器の上方への脱抜が可能となる。
【００３０】
図６は、４種類の異なるインクを収容するインク容器Ｔ１００と、それらを装着可能なインクジェット記録ヘッドＨ１００の斜視図である。記録ヘッドＨ１００には、インク容器Ｔ１００の着脱が可能なホルダーＨ１０１と、インク容器Ｔ１００から供給されるインクを吐出可能なインクジェット記録ヘッド部１３０が備えられている。記録ヘッド部１３０は、例えば、電気熱変換体（ヒータ）やピエゾ素子などを用いてインクを吐出する構成となっている。電気熱変換体を用いる構成の場合には、その電気熱変換体が発生する熱エネルギーによってインクを発泡させ、その発泡エネルギーを利用してインク吐出口からインクを吐出させることができる。
【００３１】
インクジェット記録ヘッドＨ１００のホルダーＨ１０１には、各インク容器Ｔ１００の長手方向において対向する１対のガイドリブＴ２２０，Ｔ２２１に対応する第１、第２のガイド溝Ｈ１２０、Ｈ１２１が設けられている。それぞれのインク容器Ｔ１００がホルダーＨ１０１に装着されるときに、それらのガイドリブＴ２２０，Ｔ２２１が対応するガイド溝Ｈ１２０，ガイド溝Ｈ１２１に沿って移動することにより、それぞれのインク容器Ｔ１００がガイドされる。
【００３２】
インク容器Ｔ１００をホルダーＨ１０１に固定する弾性係合部材Ｈ１１０は、１つのインク容器Ｔ１００に対して２つずつ設けられている。１つのインク容器Ｔ１００に対して設けられた２つの弾性係合部材Ｈ１１０は、図５（ａ），（ｂ）のように、そのインク容器Ｔ１００の短手方向において対向する。このように対の弾性係合部材Ｈ１１０は、それらが係合する対のインク容器係止部Ｔ２３０と同様に、インク容器Ｔ１００の短手方向において比較的短い間隔をもって対向する。そのため、対の弾性係合部材Ｈ１１０と対のインク容器係止部Ｔ２３０との位置関係は、インク容器Ｔ１００の装着時の姿勢が若干傾いたとしても大きくずれることはなく、それらを同時に係合させることが容易である。
【００３３】
好ましくは、それら２つの弾性係合部材Ｈ１１０は、本例のように、記録ヘッドＨ１００にインクを導入するインク導入口Ｈ１４０（図７参照）を挟んで対称的に配置する。つまり、インク導入口Ｈ１４０を挟んで対向する対の仮想面上に、それら２つの弾性係合部材Ｈ１１０を配置する。これにより、インク容器Ｔ１００の装着時における傾き、特にインク導入口Ｈ１４０とインク導出部Ｔ４００とを押し付けて連結させる時における傾きが抑制され、それらのインク導出部Ｔ４００とインク導入口Ｈ１４０との連通状態の安定性が向上する。この場合、２つの弾性係合部材Ｈ１１０が係合する対のインク容器係止部Ｔ２３０は、インク容器Ｔ１００のインク導出部Ｔ４００を挟んで対称的に位置する。つまり対のインク容器係止部Ｔ２３０は、インク導出部Ｔ４００を挟んで対向する対の仮想面上に位置する側面（インク容器Ｔ１００の短手方向において対向する対の側面）に位置する。
【００３４】
さらに本例においては、図６のように、互いに隣り合うインク容器Ｔ１００に対応する弾性係合部材Ｈ１１０がいわゆる千鳥配置になっている。つまり、４つのインク容器Ｔ１００のそれぞれに対応する計８つの弾性係合部材Ｈ１１０は、互いに隣接するもの同士がインク容器Ｔ１００の長手方向にずれて配置されている。これにより、弾性係合部材Ｈ１１０が外側に撓む係合解除時に、互いに隣接するもの同士の撓み代が干渉することを防止して、複数のインク容器Ｔ１００の相互間隔を最小に抑えることができる。図７は、２つのインク容器Ｔ１００がインクジェット記録ヘッドＨ１００に装着されている状態を示す。
【００３５】
（第２の実施形態）
図８は、本発明の第２の実施形態におけるインク容器の斜視図、図８は、そのインク容器をインクジェット記録ヘッドに装着したときの斜視図である。
【００３６】
本例のインク容器は、前述した第１の実施形態のインク容器Ｔ１００に対して、一対の弾性係合部材Ｔ６２０を弾性的に設けた構成となっている。それら一対の弾性係合部材Ｔ６２０は、インク容器Ｔ１００の短手方向において対向する側面に弾性的に設けられており、それらの弾性係合部材Ｔ６２０に形成された係合部Ｔ６２２は、図１０（ａ）のように、記録ヘッドＨ１００に設けられた係止部材Ｈ２１０の係止部２１１と係合可能である。
【００３７】
図１０（ａ）は、インクジェット記録ヘッドＨ１００にインク容器Ｔ１００が装着された状態の断面図である。インク容器Ｔ５００に弾性的に形成された一対の弾性係合部材Ｔ６２０は、インク容器Ｔ１００の短手方向において対向する側面に、互いに対向する一対の係合部Ｔ６２２が形成されている。インク容器Ｔ１００が装着された状態において、それらの突起形状の係合部Ｔ６２２は、記録ヘッドＨ１００の係止部材Ｈ２１０に設けられた穴形状の係止部Ｈ２１１に係合している。このとき、解除部材Ｔ３００は図１０（ａ）のように位置し、その解除部位３２０の下側に形成された斜面Ｔ３２１は、弾性係合部材Ｔ６２０の被解除部Ｔ６２１の上側に形成された斜面に接する。
【００３８】
インク容器Ｔ１００を記録ヘッドＨ１００から抜脱する際には、解除部材Ｔ３００の第２の押圧部Ｔ３１０を矢印Ａ１方向に押圧する。それにより図１０（ｂ）のように、解除部材Ｔ３００が前述した実施形態と同様に矢印Ｂ１に回動し、門形状の解除部材Ｔ３００の両足部に相当する部分は、インク収納部Ｔ２１０のインク容器側面Ｔ２１０面上をスライドしながら下降する。それに伴い、門形状の解除部材Ｔ３００の両足の先端部に相当する解除部位Ｔ３２０の斜面Ｔ３２１は、弾性係合部材Ｈ６２０の解除部Ｔ６２１の斜面と接触しながら下降し、弾性係合部材Ｔ６２０を外側の矢印Ａ３方向に弾性変形させて、弾性係合部材Ｔ６２０の係合部Ｔ６２２を外側に押し出す。この結果、インクジェット記録ヘッドＨ１００の係止部Ｈ２１１と弾性係合部材Ｔ６２０の係合部Ｔ６２２との係合が解除されて、インク容器Ｔ１００の脱抜が可能となる。
【００３９】
（インクジェット記録装置の構成例）
図１１は、本発明のインク容器を適用可能なシリアルスキャンタイプのインクジェット記録装置の構成例を説明するための要部の斜視図である。
【００４０】
本発明のインク容器が装着されたインクジェット記録ヘッドＨ１００は、キャリッジＭ１１０に着脱可能に搭載される。キャリッジＭ１１０は、不図示の移動機構によって矢印Ｘの主走査方向に往復移動され、被記録媒体としての記録紙Ｐは、不図示の搬送機構によって主走査方向と交差する矢印Ｙの復走査方向（本例の場合は、主走査方向と直交する方向）に搬送される。そして、記録ヘッドＨ１００がキャリッジＭ１１０と共に主走査方向に移動しつつインクを吐出する動作と、記録紙Ｐを副走査方向に所定量搬送する動作と、を交互に繰り返すことによって、記録紙Ｐ上に画像を記録する。
【００４１】
（他の実施形態）
解除部材３１０は、インク容器Ｔ１００に着脱可能に備えてもよい。この場合には、解除部材３１０が破損した場合に、それを新規なものと交換することができる。また、インク容器Ｔ１００が寿命に達した時に、そのインク容器Ｔ１１０に取付けられていた解除部材３１０を新規なインク容器Ｔ１１０に付け代えて利用することもできる。したがって、解除部材およびインク容器は必ずしも組み合わせて取り扱う必要はなく、それぞれを別々に流通させて、適宜組み合わせて用いることができる。そのため、インク容器には必ずしも解除部材が取付けられている必要はなく、解除部材の取付け部が設けられていればよい。
【００４２】
また、解除部材によって係合部材と係合部との係合を解除したときに、そのときの位置（係合解除位置）にて解除部材を止める機構を備えることが望ましい。例えば、解除部材３００を図５（ｂ）および図１０（ｂ）のような係合解除位置に止めることにより、係合の解除を維持するための特別な操作力が不要となり、解除部材３００の操作力を解いたまま、インク容器Ｔ１００を上方に引き抜くことができる。つまり、ワンアクションによって係合部材と係合部との係合を解除してから、インク容器を取り外すことができる。解除部材を係合解除位置に止めるための機構としては、例えば、解除部材とインク容器との対向部に弾性的に嵌合する凹部と凸部を形成したり、解除部材に所定の移動抵抗を付与する構成を採用することができる。要は、解除部材を係合解除位置に一時的に保持できる構成であればよい。
【図面の簡単な説明】
【００４３】
【図１】本発明の第１の実施形態におけるインク容器の斜視図である。
【図２】図１のインク容器の分解斜視図である。
【図３】図１のインク容器の側面図である。
【図４】図１のインク容器の非装着時における側面図である。
【図５】（ａ）は、図１のインク容器の装着時における図４中のＶ−Ｖ線に沿う断面図、（ｂ）は、図１のインク容器の係合解除時における図４中のＶ−Ｖ線に沿う断面図である。
【図６】図１のインク容器を４つ装着可能な記録ヘッドの斜視図である。
【図７】図１のインク容器を２つ装着した状態の図６の記録ヘッドの斜視図である。
【図８】本発明の第２の実施形態におけるインク容器の斜視図である。
【図９】図８のインク容器の装着時における斜視図である。
【図１０】（ａ）は、図８のインク容器の装着時における要部の断面図、（ｂ）は、図８のインク容器の係合解除時における要部の断面図である。
【図１１】本発明のインク容器を適用可能な記録装置の要部の斜視図である。
【図１２】インク容器の従来例を説明するための斜視図である。
【符号の説明】
【００４４】
Ｔ１００    インク容器
Ｔ２００    インク収納部
Ｔ２３０    インク容器係止部（係止部）
Ｔ３００    解除部材
Ｔ３１０    押圧部
Ｔ３２０    解除部位（解除作用部）
Ｔ３３０    解除部材結合部（結合部）
Ｔ４００    インク導出部
Ｈ１００    インクジェット記録ヘッド
Ｈ１０１    ホルダー
Ｈ１１０    弾性係合部材（係合部材）
Ｈ１３０    インクジェット記録ヘッド部
Ｈ１４０    インク導入口（インク導入部）
Ｈ２１１    係止部
Ｔ６２０    弾性係合部材（係合部材）
【図１】
2005343050.tif 000003
【図２】
2005343050.tif 000004
【図３】
2005343050.tif 000005
【図４】
2005343050.tif 000006
【図５】
2005343050.tif 000007
【図６】
2005343050.tif 000008
【図７】
2005343050.tif 000009
【図８】
2005343050.tif 000010
【図９】
2005343050.tif 000011
【図１０】
2005343050.tif 000012
【図１１】
2005343050.tif 000013
【図１２】
2005343050.tif 000014